(57)【要約】【課題】  簡単な構造でレンズホルダの摺動及び揺動を安定させること。【解決手段】  対物レンズＯＬとフォーカスコイル及びトラッキングコイル６とを設けほぼ中央部に貫設した軸孔２をアクトベースのシャフト４に嵌合させることにより、該シャフト４の軸心Ｏを支点にしてレンズホルダ１の前部１Ａと後部１Ｂとの重量バランスがほぼつり合うように形成され、レンズホルダ１の対物レンズＯＬを囲むロ字状縁部１ｂの左右側縁１６ａ，１６ｂからトラッキング方向ｃ，ｄ方向に沿って一体延設した左右一対の翼部１６Ａ，１６Ｂと、ロ字状縁部１ｂの前後側縁１６ｃ，１６ｄからトラッキング方向ｃ，ｄとは直交する方向に沿って一体突設した前後一対の棚部１６Ｃ，１６Ｄとを備えた平面視略ロ字状の錘１６がレンズホルダ１の前部１Ａに付加されて該前部１Ａを後部１Ｂよりも重くしている。【選択図】        図３
2007058933.tif 000002
【特許請求の範囲】
【請求項１】
レンズホルダの前部に対物レンズが設けられると共に、該レンズホルダの中央部から後
部にかけてフォーカスコイルとトラッキングコイルとが設けられ、そのレンズホルダのほ
ぼ中央部に貫設した軸孔をアクトベースのシャフトに嵌合させることにより、該シャフト
の軸心を支点にしてレンズホルダの前部と後部との重量バランスがほぼつり合うように形
成されており、前記フォーカスコイル及びトラッキングコイルを励磁させることにより、
レンズホルダをシャフトに沿ってフォーカス方向に摺動させ且つシャフト回りでトラッキ
ング方向に揺動させ、コリメータレンズを通って対物レンズに入った入射光を所定の集光
角でディスクの記録面に収束させ、その反射光により記録面に記録されている情報を読み
取るようにした対物レンズユニットにおいて、前記レンズホルダの前部に該前部を後部よ
りも重くする錘が付加され、該錘が、レンズホルダの対物レンズを囲むロ字状縁部の左右
側縁からトラッキング方向に沿って一体延設した左右一対の翼部と、前記ロ字状縁部の前
後側縁からトラッキング方向とは直交する方向に沿って一体突設した前後一対の棚部とを
備え、前記両翼部間の間隔が、コリメータレンズを通る平行光束の外径と、対物レンズの
最大揺動幅との和よりも大きく設定され、前記レンズホルダを被うアクトカバーが対物レ
ンズの最上昇位置よりもわずかに高い位置でアクトベースに取り付けられると共に、該ア
クトカバーの対物レンズに対向する位置に該対物レンズよりも大径の開口部が形成され、
該開口部の周縁部と前記各翼部及び各棚部とが上下に所定間隔をおいて互いにオーバーラ
ップされ、その各翼部と開口部の左右周縁部とのオーバーラップ幅が前記最大揺動幅の２
分の１よりも大きく設定されていることを特徴とする対物レンズユニット。
【請求項２】
レンズホルダの前部に対物レンズが設けられると共に、該レンズホルダの中央部から後
部にかけてフォーカスコイルとトラッキングコイルとが設けられ、そのレンズホルダのほ
ぼ中央部に貫設した軸孔をアクトベースのシャフトに嵌合させることにより、該シャフト
の軸心を支点にしてレンズホルダの前部と後部との重量バランスがほぼつり合うように形
成されており、前記フォーカスコイル及びトラッキングコイルを励磁させることにより、
レンズホルダをシャフトに沿ってフォーカス方向に摺動させ且つシャフト回りでトラッキ
ング方向に揺動させ、コリメータレンズを通って対物レンズに入った入射光を所定の集光
角でディスクの記録面に収束させ、その反射光により記録面に記録されている情報を読み
取るようにした対物レンズユニットにおいて、前記レンズホルダの前部に錘を付加して該
前部を後部よりも重くしたことを特徴とする対物レンズユニット。
【請求項３】
前記錘が、レンズホルダの対物レンズを囲むロ字状縁部の左右側縁からトラッキング方
向に沿って一体延設した左右一対の翼部を備えており、該両翼部間の間隔が、コリメータ
レンズを通る平行光束の外径と、対物レンズの最大揺動幅との和よりも大きく設定されて
いることを特徴とする請求項２に記載の対物レンズユニット。
【請求項４】
前記レンズホルダを被うアクトカバーが対物レンズの最上昇位置よりもわずかに高い位
置でアクトベースに取り付けられると共に、該アクトカバーの対物レンズに対向する位置
に該対物レンズよりも大径の開口部が形成され、該開口部の左右周縁部と前記各翼部とが
上下に所定間隔をおいて互いにオーバーラップされ、そのオーバーラップ幅が前記最大揺
動幅の２分の１よりも大きく設定されていることを特徴とする請求項３に記載の対物レン
ズユニット。
【請求項５】
前記錘が、前記ロ字状縁部の前後側縁からトラッキング方向とは直交する方向に沿って
一体突設した前後一対の棚部を備えており、該各棚部と前記アクトカバーの開口部の前後
周縁部とが上下に所定間隔をおいて互いにオーバーラップされていることを特徴とする請
求項４に記載の対物レンズユニット。
【発明の詳細な説明】
【技術分野】
【０００１】
本発明は、例えばＤＶＤプレーヤやＤＶＤレコーダなどのディスク装置に使用される対
物レンズユニットに関し、特に、簡単な構造で不要光をカットするものである。
【背景技術】
【０００２】
従来、対物レンズユニットの技術として特許文献１などに記載したものがあり、その一
例を図６〜図９に基づいて説明すると、これは、レンズホルダ１の前部１Ａに対物レンズ
ＯＬが設けられると共に、該レンズホルダ１の中央部にボス部１ａが一体突設され、該ボ
ス部１ａの周辺にフォーカスコイル５が設けられると共に、そのレンズホルダ１の中央部
から後部１Ｂにかけての両側面にトラッキングコイル６が設けられ、レンズホルダ１のほ
ぼ中央部に貫設した軸孔２をアクトベース３のシャフト４に嵌合させることにより、該シ
ャフト４の軸心Ｏを支点にしてレンズホルダ１の前部１Ａと後部１Ｂとの重量バランスが
ほぼつり合うように形成され、レンズホルダ１を間に挟んでアクトベース３の両側部から
起立させた起立板３ａに一対のマグネット７が配置され、前記レンズホルダ１に合成樹脂
製アクトカバー８が被せられ、該アクトカバー８に一体突設したフック部８ａをアクトベ
ース３に着脱可能に係合させることにより、そのアクトベース３の天板部８ｂがシャフト
４の頂面に当接または接近され、該天板部８ｂに形成した大径の開口部９が対物レンズＯ
Ｌに遊嵌合され、該対物レンズＯＬに対向するコリメータレンズＱＷＰがアクトベース３
を支持する光ピックアップ本体１０に設けられている。なお、１１は光ピックアップ本体
１０を貫通してアクトベース３のねじ孔に螺合する一対の角度調整ねじ、１２はアクトベ
ース３の挿通孔に挿通されて光ピックアップ本体１０に螺着された押えねじ、１３は該押
えねじの頭部とアクトベース３との間に介在させたコイルばね、１４はプリント基板であ
って、リード線１４ａを介してフォーカスコイル５及びトラッキングコイル６に接続され
ている。Ｄはディスクである。
【０００３】
上記構成において、フォーカスコイル５に通電して励磁させることにより、レンズホル
ダ１をシャフト４に沿ってフォーカス方向ａ，ｂに摺動させ、光源である半導体レーザか
らコリメータレンズＱＷＰを通って対物レンズＯＬに入った入射光Ｌを所定の集光角αで
ディスクＤの記録面Ｄａに収束させ、また、トラッキングコイル６に通電して励磁させる
ことにより、レンズホルダ１をシャフト４回りでトラッキング方向ｃ，ｄに揺動させて対
物レンズＯＬをディスクＤの記録面Ｄａの所定のトラックに追従させ（図５仮想線参照）
、これにより、入射光Ｌの記録面Ｄａにより反射された反射光を対物レンズＯＬ及びコリ
メータレンズＱＷＰを通って受光素子で受光することにより、その記録面Ｄａに記録され
ている情報を読み取る。
【特許文献１】特開２００４−２９６０３９号公報
【発明の開示】
【発明が解決しようとする課題】
【０００４】
上記構成によれば、シャフト４の軸心Ｏを支点にしてレンズホルダ１の前部１Ａと後部
１Ｂとの重量バランスがほぼつり合うように形成され、その一方で、レンズホルダ１の軸
孔２とシャフト４との間に隙間ｔがあり、その隙間ｔは極めて小さいが、レンズホルダ１
をフォーカス方向ａ，ｂに摺動させたりトラッキング方向ｃ，ｄに揺動させたときに、軸
孔２の内周面が部分的にシャフト４の外周面に不規則に接触し、図９に一点鎖線及び二点
鎖線で大げさに示すように、レンズホルダ１が上下左右に不規則に振動され、これによっ
て、入射光Ｌを所定の集光角αでディスクＤの記録面Ｄａに収束させるのに時間がかかっ
て、読み取りが遅延したり、読み取りエラーが生じるおそれがある。
【０００５】
また、図６に示すように、レンズホルダ１の対物レンズＯＬを支持するロ字状縁部１ｂ
とアクトカバー８の開口部９との間に隙間β１，β２が形成されており、特に、レンズホ
ルダ１をトラッキング方向ｃ，ｄに自由に揺動させるために、隙間β１を大きく設定して
いる。従って、レンズホルダ１をトラッキング方向ｃ，ｄに揺動させたとき、コリメータ
レンズＱＷＰから対物レンズＯＬに入る入射光Ｌの平行光束Ｃのうちの外周部分がロ字状
縁部１ｂの外側から隙間β１，β２を通過してディスクＤの記録面Ｄａに入射されること
があり、その反射光は不要光であるから、その不要光が受光素子で受光されると、読取ミ
スなどのエラーを生じさせる。
【０００６】
本発明は、上記従来の欠点に鑑み、簡単な構造でレンズホルダの摺動及び揺動を安定さ
せ不要光をカットするようにした対物レンズユニットを提供することを目的としている。
【課題を解決するための手段】
【０００７】
上記目的を達成するため、請求項１に記載の発明は、レンズホルダの前部に対物レンズ
が設けられると共に、該レンズホルダの中央部から後部にかけてフォーカスコイルとトラ
ッキングコイルとが設けられ、そのレンズホルダのほぼ中央部に貫設した軸孔をアクトベ
ースのシャフトに嵌合させることにより、該シャフトの軸心を支点にしてレンズホルダの
前部と後部との重量バランスがほぼつり合うように形成されており、前記フォーカスコイ
ル及びトラッキングコイルを励磁させることにより、レンズホルダをシャフトに沿ってフ
ォーカス方向に摺動させ且つシャフト回りでトラッキング方向に揺動させ、コリメータレ
ンズを通って対物レンズに入った入射光を所定の集光角でディスクの記録面に収束させ、
その反射光により記録面に記録されている情報を読み取るようにした対物レンズユニット
において、前記レンズホルダの前部に該前部を後部よりも重くする錘が付加され、該錘が
、レンズホルダの対物レンズを囲むロ字状縁部の左右側縁からトラッキング方向に沿って
一体延設した左右一対の翼部と、前記ロ字状縁部の前後側縁からトラッキング方向とは直
交する方向に沿って一体突設した前後一対の棚部とを備え、前記両翼部間の間隔が、コリ
メータレンズを通る平行光束の外径と、対物レンズの最大揺動幅との和よりも大きく設定
され、前記レンズホルダを被うアクトカバーが対物レンズの最上昇位置よりもわずかに高
い位置でアクトベースに取り付けられると共に、該アクトカバーの対物レンズに対向する
位置に該対物レンズよりも大径の開口部が形成され、該開口部の周縁部と前記各翼部及び
各棚部とが上下に所定間隔をおいて互いにオーバーラップされ、その各翼部と開口部の左
右周縁部とのオーバーラップ幅が前記最大揺動幅の２分の１よりも大きく設定されている
ことを特徴としている。
【０００８】
請求項２に記載の発明は、レンズホルダの前部に対物レンズが設けられると共に、該レ
ンズホルダの中央部から後部にかけてフォーカスコイルとトラッキングコイルとが設けら
れ、そのレンズホルダのほぼ中央部に貫設した軸孔をアクトベースのシャフトに嵌合させ
ることにより、該シャフトの軸心を支点にしてレンズホルダの前部と後部との重量バラン
スがほぼつり合うように形成されており、前記フォーカスコイル及びトラッキングコイル
を励磁させることにより、レンズホルダをシャフトに沿ってフォーカス方向に摺動させ且
つシャフト回りでトラッキング方向に揺動させ、コリメータレンズを通って対物レンズに
入った入射光を所定の集光角でディスクの記録面に収束させ、その反射光により記録面に
記録されている情報を読み取るようにした対物レンズユニットにおいて、前記レンズホル
ダの前部に錘を付加して該前部を後部よりも重くしたことを特徴としている。
【０００９】
請求項３に記載の発明は、請求項２に記載の発明において、前記錘が、レンズホルダの
対物レンズを囲むロ字状縁部の左右側縁からトラッキング方向に沿って一体延設した左右
一対の翼部を備えており、該両翼部間の間隔が、コリメータレンズを通る平行光束の外径
と、対物レンズの最大揺動幅との和よりも大きく設定されていることを特徴としている。
【００１０】
請求項４に記載の発明は、請求項３に記載の発明において、前記レンズホルダを被うア
クトカバーが対物レンズの最上昇位置よりもわずかに高い位置でアクトベースに取り付け
られると共に、該アクトカバーの対物レンズに対向する位置に該対物レンズよりも大径の
開口部が形成され、該開口部の左右周縁部と前記各翼部とが上下に所定間隔をおいて互い
にオーバーラップされ、そのオーバーラップ幅が前記最大揺動幅の２分の１よりも大きく
設定されていることを特徴としている。
【００１１】
請求項５に記載の発明は、請求項４に記載の発明において、前記錘が、前記ロ字状縁部
の前後側縁からトラッキング方向とは直交する方向に沿って一体突設した前後一対の棚部
を備えており、該各棚部と前記アクトカバーの開口部の前後周縁部とが上下に所定間隔を
おいて互いにオーバーラップされていることを特徴としている。
【発明の効果】
【００１２】
請求項１に記載の発明は実施の一形態（図１〜図５参照）に対応するものであって、こ
れによれば、レンズホルダの前部に錘を付加して該前部を後部よりも重くすることにより
、軸孔の上端縁後部と下端縁前部とがシャフトの外周面に常時接触されているから、レン
ズホルダをフォーカス方向に摺動させたりトラッキング方向に揺動させたときに、従来の
ようにレンズホルダが上下左右に不規則に振動されることがなくなり、そのレンズホルダ
の摺動及び揺動が安定する。従って、入射光を所定の集光角でディスクの記録面に迅速に
収束させて、その記録面に記録されている情報を瞬時にミス無く読み取ることができる。
【００１３】
また、コリメータレンズから入射される平行光束のうちの外周部分で対物レンズに入ら
ずにディスクに向けて通過する不要光が錘の両翼部により遮断されるから、その不要光が
ディスクの記録面で反射されて受光素子で受光されることがなくなり、その不要光による
読取ミスなどのエラーを生じないようにすることができる。
【００１４】
ここで重要なことは、錘としての左右一対の翼部をレンズホルダの前部に一体延設した
だけで、該レンズホルダの摺動及び揺動を安定させ、不要光を遮断することができたとい
うことであり、部品点数が増加せず、経済性に優れている。
【００１５】
更に、左右一対の翼部及び前後一対の棚部とアクトカバーの開口部の周縁部とがオーバ
ーラップされており、その開口部から不要光が外部に漏れることがないので、不要光によ
る読取ミスなどのエラーを確実に阻止することができる。
【００１６】
請求項２に記載の発明によれば、レンズホルダの前部に錘を付加して該前部を後部より
も重くすることにより、軸孔の上端縁後部と下端縁前部とがシャフトの外周面に常時接触
されているから、レンズホルダをフォーカス方向に摺動させたりトラッキング方向に揺動
させたときに、従来のようにレンズホルダが上下左右に不規則に振動されることがなくな
り、そのレンズホルダの摺動及び揺動が安定する。従って、入射光を所定の集光角でディ
スクの記録面に迅速に収束させて、その記録面に記録されている情報を瞬時にミス無く読
み取ることができる。
【００１７】
請求項３に記載の発明によれば、コリメータレンズから入射される平行光束のうちの外
周部分で対物レンズに入らずにディスクに向けて通過する不要光が錘の両翼部により遮断
されるから、その不要光がディスクの記録面で反射されて受光素子で受光されることがな
くなり、その不要光による読取ミスなどのエラーを生じないようにすることができる。
【００１８】
ここで重要なことは、錘としての左右一対の翼部をレンズホルダの前部に一体延設した
だけで、該レンズホルダの摺動及び揺動を安定させ、不要光を遮断することができたとい
うことであり、部品点数が増加せず、経済性に優れている。
【００１９】
請求項４に記載の発明よれば、レンズホルダをトラッキング方向に沿って最大に揺動さ
せたときでも、各翼部とアクトカバーとが互いにオーバーラップされており、その両者間
から不要光が外部に漏れることがないので、不要光による読取ミスなどのエラーを確実に
阻止することができる。
【００２０】
請求項５に記載の発明よれば、対物レンズを囲むロ字状縁部の前後側縁からトラッキン
グ方向とは直交する方向に沿って一体突設した前後一対の棚部とアクトカバーとが互いに
オーバーラップされており、その両者間から不要光が外部に漏れることがないので、不要
光による読取ミスなどのエラーを一層確実に阻止することができる。
【発明を実施するための最良の形態】
【００２１】
図１〜図５は本発明の実施の一形態である対物レンズユニットを示すものであって、図
４（ｂ）に示すように、レンズホルダ１の対物レンズＯＬを囲むロ字状縁部１ｂの左右側
縁１６ａ，１６ｂからトラッキング方向ｃ，ｄ方向に沿って所定の突出幅ｇ１分だけ一体
延設した左右一対の翼部１６Ａ，１６Ｂと、図４（ａ）に示すように、ロ字状縁部１ｂの
前後側縁１６ｃ，１６ｄからトラッキング方向ｃ，ｄとは直交する方向に沿って所定の突
出幅ｇ２分だけ一体突設した前後一対の棚部１６Ｃ，１６Ｄとを備えた平面視略ロ字状の
錘１６がレンズホルダ１の前部１Ａに付加されて該前部１Ａを後部１Ｂよりも重くしてい
る（図３参照）。上記以外の構成は図６〜図９に示す構成とほぼ同じであるから、同一部
分に同一符号を付してその説明を省略する。
【００２２】
上記構成によれば、図４（ａ）に示すように、レンズホルダ１の前部１Ａに錘１６を付
加して該前部１Ａを後部１Ｂよりも重くすることにより、軸孔２の上端縁後部２ａと下端
縁前部２ｂとがシャフト４の外周面に常時接触されているから、レンズホルダ１をフォー
カス方向ａ，ｂに摺動させたりトラッキング方向ｃ，ｄに揺動させたときに、従来のよう
にレンズホルダ１が上下左右に不規則に振動されることがなくなり、そのレンズホルダ１
の摺動及び揺動が安定する。従って、入射光Ｌを所定の集光角αでディスクＤの記録面Ｄ
ａに迅速に収束させて、その記録面Ｄａに記録されている情報を瞬時にミス無く読み取る
ことができる。
【００２３】
図４（ｂ）及び図５に示すように、前記錘１６の両翼部１６Ａ，１６Ｂ間の間隔ｅが、
コリメータレンズＱＷＰを通る平行光束Ｃの外径ｍと、対物レンズＯＬのの最大揺動幅ｋ
との和よりも大きく設定されている（ｅ＞ｍ＋ｋ）。
【００２４】
上記構成によれば、レンズホルダ１をトラッキング方向ｃ，ｄに揺動させたとき、コリ
メータレンズＱＷＰから入射される平行光束Ｃのうちの外周部分で対物レンズＯＬに入ら
ずにディスクＤに向けて通過する不要光が錘１６の両翼部１６Ａ，１６Ｂにより遮断され
るから、その不要光がディスクＤの記録面Ｄａで反射されて受光素子で受光されることが
なくなり、その不要光による読取ミスなどのエラーを生じないようにすることができる。
【００２５】
ここで重要なことは、錘１６としての左右一対の翼部１６Ａ，１６Ｂをレンズホルダ１
の前部１Ａに一体延設しただけで、該レンズホルダ１の摺動及び揺動を安定させ、不要光
を遮断することができたということであり、部品点数が増加せず、経済性に優れている。
【００２６】
具体的寸法の一例を示すと、図５に示すように、焦点距離ｆを２ｍｍ、平行光束Ｃの外
径ｍを４．８ｍｍ、対物レンズＯＬの最大揺動幅ｋを１．９ｍｍすると、両翼部１６Ａ，
１６Ｂ間の間隔ｅが４．８＋１．９＝６．７ｍｍ以上となる。
【００２７】
図４（ａ）（ｂ）に示すように、アクトカバー８の天板部８ｂが対物レンズＯＬの最上
昇位置よりもわずかの間隔ｈをおいて高い位置に配置され、該アクトカバー８の開口部９
の周縁部と前記各翼部１６Ａ，１６Ｂ及び各棚部１６Ｃ，１６Ｄとが上下に所定間隔をお
いて互いにオーバーラップされ、その各オーバーラップ幅ｔ１，ｔ２のうち、各翼部１６
Ａ，１６Ｂと開口部９の左右周縁部とのオーバーラップ幅ｔ１が対物レンズＯＬの最大揺
動幅ｋの２分の１よりも大きく設定されている（ｔ１＞１／２ｋ）。なお、図４（ａ）中
、１８はアクトカバー８の天板部８ｂの下面に一体突設されてシャフト４の頂面に当接ま
たは接近する略十字状ストッパ部である。
【００２８】
上記構成によれば、左右一対の翼部１６Ａ，１６Ｂ及び前後一対の棚部１６Ｃ，１６Ｄ
とアクトカバー８の開口部９の周縁部とがオーバーラップされており、その開口部９から
不要光が外部に漏れることがないので、不要光による読取ミスなどのエラーを確実に阻止
することができる。
【００２９】
上記した対物レンズユニットをＤＶＤプレーヤやＤＶＤレコーダなどのディスク装置に
搭載することにより、経済的で読取ミスなどのエラーが少なくて使い勝手のよいディスク
装置を提供することができる。
【図面の簡単な説明】
【００３０】
【図１】本発明の実施の一形態である対物レンズユニットの平面図である。
【図２】図１のＡ−Ａ矢視図である。
【図３】同要部の分解斜視図である。
【図４】（ａ）は同概略側面図、（ｂ）はＢ−Ｂ矢視図である。
【図５】同対物レンズの動作を説明する概略拡大図である。
【図６】従来例の平面図である。
【図７】図６のＣ−Ｃ矢視図である。
【図８】同要部の分解斜視図である。
【図９】（ａ）は同概略側面図、（ｂ）はＥ−Ｅ矢視図である。
【符号の説明】
【００３１】
１              レンズホルダ
１Ａ            レンズホルダの前部
１Ｂ            レンズホルダの後部
１ｂ            ロ字状縁部
３              アクトベース
４              シャフト
５              フォーカスコイル
６              トラッキングコイル
８              アクトカバー
９              開口部
１６ａ，１６ｂ  ロ字状縁部の左右側縁
１６ｃ，１６ｄ  ロ字状縁部の前後側縁
１６Ａ，１６Ｂ  翼部
１６Ｃ，１６Ｄ  棚部
ＯＬ            対物レンズ
ＱＷＰ          コリメータレンズ
α              集光角
Ｌ              入射光
Ｃ              平行光束
Ｄ              ディスク
Ｄａ            ディスクの記録面
ｅ              両翼部間の間隔
ｍ              平行光束の外径
ｋ              対物レンズの最大揺動幅
ｔ１            開口部と両翼部とのオーバーラップ幅
ｔ２            開口部と両棚部とのオーバーラップ幅
ａ，ｂ          フォーカス方向
ｃ，ｄ          トラッキング方向
【図１】
2007058933.tif 000003
【図２】
2007058933.tif 000004
【図３】
2007058933.tif 000005
【図４】
2007058933.tif 000006
【図５】
2007058933.tif 000007
【図６】
2007058933.tif 000008
【図７】
2007058933.tif 000009
【図８】
2007058933.tif 000010
【図９】
2007058933.tif 000011